(57)【要約】【課題】非常用照明器具の技術基準を満たしつつ、光の直視を抑制することができる非常用照明器具を提供する。【解決手段】照明器具本体と、停電時以外に蓄電する蓄電池と、停電時に前記蓄電池からの電力供給で点灯する非常用光源と、該非常用光源の点灯を制御する非常用コントロールユニットと、を備え、前記非常用コントロールユニットは、前記蓄電池への入力回路遮断後、０．５秒以内で確実に非常用光源を点灯させ、かつ前記非常用光源が定格出力に至るまでに若干の時間を備えるよう制御する。【選択図】図１
2019186048.tif 000002
【特許請求の範囲】
【請求項１】
照明器具本体と、停電時以外に蓄電する蓄電池と、停電時に前記蓄電池からの電力供給で点灯する非常用光源と、該非常用光源の点灯を制御する非常用コントロールユニットと、を備え、
前記非常用コントロールユニットは、前記蓄電池への入力回路遮断後、０．５秒以内で確実に非常用光源を点灯させ、かつ前記非常用光源が定格出力に至るまでに若干の時間を備えるよう制御することを特徴とする非常用照明器具。
【発明の詳細な説明】
【技術分野】
【０００１】
本発明は、非常用照明器具に関する。
【背景技術】
【０００２】
非常用照明器具は、火災・地震その他の災害・事故などにより停電が発生した場合に、人々が建築物からの避難行動を可能にするための照明設備のことであり、停電などで電源の供給が遮断された場合には自動的に非常用電源に切替わる機能を有し、非常用電源から供給される電力で室内や通路などの明かりを確保する照明器具であり、入力回路遮断後、０．５秒以内で確実に非常用点灯に切り替わることが技術基準として定められている。災害時などに備え常に避難行動時の明かりを確保できるよう非常用照明器具の機能を維持することが消防法の消防用設備等及び建築基準法の建築設備として、関連法令に基づき維持管理し定期的な点検および点検内容の報告が義務づけられていおり、主な点検内容として以下の項目が挙げられる。目視による汚れ・破損状態の確認の点検。充電モニタの点灯状態（点灯・消灯・色）よる蓄電池の充電状態確認の点検。非常点灯維持時間の性能確認の点検。
【０００３】
特許文献１には、点検操作を開始させるための操作部が非常用光源部の付近に配置されていることが記載されている。
【先行技術文献】
【特許文献】
【０００４】
【特許文献１】特開２０１６−９１９４７号公報
【発明の概要】
【発明が解決しようとする課題】
【０００５】
本発明は、非常用照明器具の技術基準を満たしつつ、光の直視を抑制することができる非常用照明器具を提供することを目的とする。
【課題を解決するための手段】
【０００６】
前記課題を解決するべく検討した結果、照明器具本体と、停電時以外に蓄電する蓄電池と、停電時に前記蓄電池からの電力供給で点灯する非常用光源と、該非常用光源の点灯を制御する非常用コントロールユニットと、を備え、前記非常用コントロールユニットは、前記蓄電池への入力回路遮断後、０．５秒以内で確実に非常用光源を点灯させ、かつ前記非常用光源が定格出力に至るまでに若干の時間を備えるよう制御することを特徴とする。
【発明の効果】
【０００７】
本発明によれば、非常用照明器具の技術基準を満たしつつ、光の直視を抑制することができる非常用照明器具を提供することができる。
【図面の簡単な説明】
【０００８】
【図１】実施形態の非常用照明器具１０の外観を示す下方からの斜視図
【図２】実施形態の非常用照明器具１０の本体２０から常用光源ユニット９０を取り外した状態を示す下方からの斜視図
【図３】実施形態の制御機能を設けない場合の「明るさ−時間」の関係を示すグラフ
【図４】実施形態の制御機能を設けた場合の「明るさ−時間」の関係を示すグラフ
【図５】実施形態の制御機能を設けた場合の「明るさ−時間」の関係を示すグラフ
【図６】実施形態の制御機能を設けた場合の「明るさ−時間」の関係を示すグラフ
【図７】実施形態の制御機能を設けた場合の「明るさ−時間」の関係を示すグラフ
【図８】実施形態の制御機能を設けた場合の「明るさ−時間」の関係を示すグラフ
【発明を実施するための形態】
【０００９】
非常用照明器具１０は、建築物の天井方向または壁面に取り付けられ、災害時などの停電時に床面を照射する照明器具である。
【００１０】
非常用照明器具１０は、天井１００に取り付けられる照明器具本体２０、照明器具本体２０に具備され停電時に点灯する非常用光源３０、非常用光源３０の発光部材である図示しないＬＥＤ３２、繰返しの充放電が可能な蓄電池４０、非常用光源３０の点灯および蓄電池４０の充放電を制御する非常用コントロールユニット５０、点検時に個々の非常用照明器具１０の電源を遮断し疑似的に停電状態をつくる図示しない点検スイッチ６０、蓄電池４０の充電状態を確認する充電モニタ７０、非常用照明器具１０に電力を供給する図示しない非常用電源線１５０を接続する複数の接続部がある電源端子台８０で構成されることが一般的である。
【００１１】
非災害時（以下、通常時という）の非常用照明器具１０は、非常用電源線１５０から電源端子台８０を介し供給される非常用電力を非常用コントロールユニット５０で電力制御（または、電力変換）し、災害時などの停電時に使用する電力を蓄電池４０に常時充電している。
【００１２】
災害時などの停電時における非常用照明器具１０は、非常用電力の供給が断たれた直後に非常用コントロールユニット５０の図示しない制御基板５２が非常用動作に切り替わり、蓄電池４０に充電した電力を制御（または電力変換）して非常用光源３０を点灯させる。
【００１３】
なお、本発明では電源端子台８０の二次側から非常用コントロールユニット５０の制御基板５２出力までの図示しない電気配線路を非常用配線１５２という。
非常用照明器具１０の非常用電源線１５０から供給される非常用電力は、通常時には連続通電が必要で、非常用電力の供給を遮断できる壁スイッチなどを非常用配線１５０の途中に設けることは法令で認められていない。
【００１４】
非常用照明器具１０の法令で定める定期的な点検内容として、非常用光源３０の点灯維持時間を確認する性能試験があり、災害時などの停電で発電所から供給される非常用電力が遮断された場合を想定し、人々が建築物からの避難する際の明かりを定められた時間点灯維持できるかを確認するものである。
【００１５】
停電を想定し非常用電力の供給を意図的に遮断するためには、主に以下の手段が挙げられる。一つ目として、非常用照明器具１０に供給される一次電源のブレーカなどの操作により、非常用電力の供給を遮断する。二つ目として、個々の非常用照明器具１０に設けられている点検スイッチ６０の操作部６２を操作し、図示しない非常用回路１５２の電気回路をオープン（開放）することで非常用電力の供給を遮断する。三つ目として、個々の非常用照明器具１０に対応した図示しない操作リモコンの操作により、非常用回路１５２の電気回路をオープン（開放）することで非常用電力の供給を遮断する。
【００１６】
以下、非常用電力供給の遮断を点検スイッチ６０の操作部６２を操作した場合の性能確認作業を例にして説明する。
【００１７】
点検スイッチ６０の操作部６２の種類としては、引張り棒タイプや押し釦タイプなどがあり、操作部６２は非常用照明器具１０の外郭かつ床面方向から点検時に操作できるよう配置され、点検スイッチ６０と床面方向を照射する非常用光源３０は近傍に配置されることが多い。
【００１８】
性能確認作業は、非常用光源３０が消灯状態で確認作業を開始することが一般的である。点検者は非常用照明器具１０を見上げながら脚立に上る、または床面から点検棒などを用いて点検スイッチ６０の操作部６２を操作し、非常用電力を遮断して非常用光源３０を点灯させる。点検者が操作部６２を操作するためには、操作部６２を直視し操作する必要があり、操作直後に非常用光源３０のＬＥＤ３２が定格光束に近い明るさで点灯した場合には、点検者が意図しない状態で輝度が高いＬＥＤ３２から発せられた光を直視する恐れがある。
【００１９】
非常用照明器具の技術基準（ＪＩＬ５５０１-２００９）では、「入力回路遮断後、０．５秒以内で確実に非常用点灯に切り替わること」と定められている。
入力回路遮断後の非常用光源点灯制御を設けない場合、非常用コントロールユニット５０は図３に示すよう０．５秒以内に動作しＬＥＤ３２の点灯が開始され、人が眩しさを感じ視線を逸らすことができる時間（例えば１秒）前に定格光束に近い明るさで（１００％に近い明るさで）ＬＥＤ３２は発光する。
【００２０】
本実施形態では、入力回路遮断後の非常用コントロールユニット５０は図４に示すよう０．５秒以内に動作してＬＥＤ３２が発光し、人が眩しさを感じ視線を逸らすことができる時間（例えば３秒）後に定格光束に近い明るさで発光するよう時間の制御を設けることで、輝度が高いＬＥＤ３２から発せられた光の直視を抑制することができる。つまり、入力回路遮断後、０．５秒以内で確実に非常用点灯に切り替わりＬＥＤ３２が点灯するが、定格光束に近い明るさで発光するまでに若干の時間を要するような制御を行う。これにより、人が眩しさを感じ視線をそらすことが可能となる。
【００２１】
「明るさと時間」の関係は、入力回路遮断後０．５秒以内に動作しＬＥＤの点灯が開始され、視線を逸らすための時間後に定格光束に近い明るさでＬＥＤを発行させれば良いため、前記図４のような直線的な制御だけに限らず、図５、図６に示すよう段階的な制御、又は図７、図８に示すような曲線的な制御でもよい。
【００２２】
また、非常用コントロールユニットは、非常用照明器具だけでなく、蓄電池を有するＬＥＤ照明器具適用しても良い。
【符号の説明】
【００２３】
１０  非常用照明器具
２０  照明器具本体
３０  非常用光源
３２  非常用光源３２のＬＥＤ
４０  蓄電池
５０  非常用コントロールユニット
５２  非常用コントロールユニットの制御基板
６０  点検スイッチ
６２  点検スイッチの操作部
６８  操作リモコン
７０  充電モニタ
８０  電源端子台
９０  常用光源ユニット
１００  天井
１５０  非常用電源線
１５２  非常用配線
【図１】
2019186048.tif 000003
【図２】
2019186048.tif 000004
【図３】
2019186048.tif 000005
【図４】
2019186048.tif 000006
【図５】
2019186048.tif 000007
【図６】
2019186048.tif 000008
【図７】
2019186048.tif 000009
【図８】
2019186048.tif 000010